(57)【要約】      （修正有）【課題】治療効果がより向上し、かつ液性癌に対しても充分な治療効果が得られ、自動運転することが可能な、マイクロ電磁波を照射することにより癌を治療するための癌治療装置の作動方法を提供する。【解決手段】少なくとも一対の相対向するマグネトロン６０、マグネトロン６０をその内部に有する筒状の筐体１０及び治療対象の皮膚表面の温度データを取得可能な温度測定手段を有するマイクロ電磁波発生部と、治療対象を載置可能な支持台２０と、支持台２０を支持台２０の短手方向に移動させることのできる、第１の駆動手段と、マイクロ電磁波発生部を支持台２０の長手方向に沿って略平行に移動させることのできる、第２の駆動手段と、を備える癌治療装置の作動方法。【選択図】図２
2014061229.tif 000002
【特許請求の範囲】
【請求項１】
マイクロ電磁波を照射することにより癌を治療するための癌治療装置の作動方法であって、
前記癌治療装置は、
少なくとも一対の相対向するマグネトロン、前記マグネトロンをその内部に有する筒状の筐体及び治療対象の皮膚表面の温度データを取得可能な温度測定手段を有するマイクロ電磁波発生部と、
前記治療対象を載置可能な支持台と、前記支持台を前記支持台の短手方向に移動させることのできる、ボールスクリューから構成される第１の駆動手段と、
前記マイクロ電磁波発生部を前記支持台の長手方向に沿って略平行に移動させることのできる、ボールスクリューから構成される第２の駆動手段と、を備えており、
前記温度測定手段が前記温度データを取得する温度データ取得工程と、
前記マグネトロンがマイクロ電磁波を照射する照射工程と、
前記第１の駆動手段が、前記支持台を短手方向に移動させる第１の移動工程と、
前記第２の駆動手段が、前記マイクロ電磁波発生部を前記支持台の長手方向に沿って移動させる第２の移動工程と、を有し、
前記マイクロ電磁波発生部が予め設定された位置に到達するまで、前記温度データ取得工程、前記照射工程、前記第１の移動工程及び前記第２の移動工程が実行され、
前記マグネトロンが、前記温度データ取得工程で取得された前記温度データの値が第１設定値を超えた場合にマイクロ電磁波の照射を中断し、前記温度データの値が第２設定値以下に下がった場合にマイクロ電磁波の照射を再開するように動作する、癌治療装置の作動方法。
【請求項２】
前記マイクロ電磁波発生部が、前記マグネトロンと前記治療対象との間の距離データを取得可能な距離測定手段、及び前記マグネトロンを前記筐体の内部の壁面に沿って移動させることのできる距離調整手段を更に有し、
前記距離測定手段が、前記マグネトロンと前記治療対象との間の距離データを取得する距離データ取得工程、及び
前記距離調整手段が、前記距離データに基づいて、前記マグネトロンと前記治療対象との間の距離が予め設定された距離になるよう前記マグネトロンを移動させる距離調整工程、を更に有し、
前記マイクロ電磁波発生部が予め設定された位置に到達するまで、前記距離データ取得工程及び前記距離調整工程を更に行う、請求項１に記載の作動方法。
【請求項３】
前記距離測定手段が、レーザー測長器である、請求項２に記載の作動方法。
【請求項４】
前記距離調整手段が、前記マグネトロンと前記治療対象の皮膚表面との間の距離が２０〜３０ｃｍになるように、前記マグネトロンを移動させる、請求項２又は３に記載の作動方法。
【請求項５】
前記マイクロ電磁波の周波数が、２．００〜３．００ＧＨｚである、請求項１〜４のいずれか一項に記載の作動方法。
【請求項６】
前記癌治療装置が、前記マイクロ電磁波発生部を前記支持台の長手方向に略垂直な平面内で回転させることのできる回転手段を更に備えており、
前記回転手段が、前記マイクロ電磁波発生部を前記支持台の長手方向に略垂直な平面内で回転させる回転工程を更に有する、
、請求項１〜５のいずれか一項に記載の作動方法。
【請求項７】
前記温度測定手段が、放射温度計である、請求項１〜６のいずれか一項に記載の作動方法。
【請求項８】
前記癌が、液性癌である、請求項１〜７のいずれか一項に記載の作動方法。
【発明の詳細な説明】
【技術分野】
【０００１】
本発明は、マイクロ電磁波を照射することにより癌を治療するための癌治療装置の作動方法に関する。
【背景技術】
【０００２】
癌の治療方法として、ハイパーサーミア法としても知られる温熱療法やマイクロ電磁波を照射する方法が知られている。これらの方法は、癌細胞が正常細胞に比べて熱に弱いことを利用するものである。例えば、特許文献１には、マグネトロンと電磁波ホーンとで構成されたマイクロ電磁波発生器によりマイクロ電磁波を放射し、ガン細胞組織の一部である活性酸素と周辺部に活動する血液等電解質を、マイクロ電磁波の電場エネルギーで自己振動させ加熱し、ガン細胞だけを壊滅させることを特徴としたマイクロ電磁波によるガン細胞組織壊滅方法が開示されている。
【先行技術文献】
【特許文献】
【０００３】
【特許文献１】国際公開第２００２／０７２１９８号
【発明の概要】
【発明が解決しようとする課題】
【０００４】
しかしながら、従来の温熱療法では、熱ショックたんぱく質（ｈｅａｔ  ｓｈｏｃｋ  ｐｒｏｔｅｉｎ、ＨＳＰ）が発現し、癌細胞が熱に対する耐性を高めてしまうため、十分な治療効果が得られにくい場合がある。また、一度治療を行うと、ＨＳＰの影響が消失するまでの約１週間程度効果が得られにくくなり、充分な治療効果が得られないという課題があった。このため、温熱療法では、抗癌剤等を併用する場合が多い。
【０００５】
一方、特許文献１に記載のマイクロ電磁波によるガン細胞組織壊滅方法によれば、抗癌剤等との併用は不要であり、従来の温熱療法と比べて充分な治療効果が得られるものの、更なる治療効果の向上が求められている。また、マイクロ電磁波を照射する方法でも、液性癌に対して充分な治療効果が得られる方法はこれまで知られていなかった。
【０００６】
そこで、本発明は、治療効果がより向上し、かつ液性癌に対しても充分な治療効果が得られ、自動運転することが可能な、マイクロ電磁波を照射することにより癌を治療するための癌治療装置の作動方法を提供することを目的とする。
【課題を解決するための手段】
【０００７】
本発明者らは、マイクロ電磁波を照射することにより癌を治療するための癌治療装置（以下、「マイクロ電磁波治療装置」ともいう。）を用いた癌治療の際に、例えば固形癌の場合、治療対象の腫瘍形成部のみならず腫瘍から離れた遠部に亘って広範囲にマイクロ電磁波を照射することにより、固形癌の治療効果が顕著に向上することを見出した。また、マイクロ電磁波の照射範囲を更に広げることによって、これまで充分な治療効果が得られなかった液性癌に対しても高い治療効果が得られることを見出した。本発明は、この新規な知見に基づき、マイクロ電磁波治療装置の動作方法として具現化することによってなされたものである。
【０００８】
すなわち、本発明は、マイクロ電磁波を照射することにより癌を治療するための癌治療装置の作動方法であって、上記癌治療装置は、少なくとも一対の相対向するマグネトロン、上記マグネトロンをその内部に有する筒状の筐体及び治療対象の皮膚表面の温度データを取得可能な温度測定手段を有するマイクロ電磁波発生部と、上記治療対象を載置可能な支持台と、当該支持台を支持台の短手方向に移動させることのできる、ボールスクリューから構成される第１の駆動手段と、上記マイクロ電磁波発生部を上記支持台の長手方向に沿って略平行に移動させることのできる、ボールスクリューから構成される第２の駆動手段とを備えており、前記温度測定手段が前記温度データを取得する温度データ取得工程と、上記マグネトロンがマイクロ電磁波を照射する照射工程と、上記第１の駆動手段が、上記支持台を短手方向に移動させる第１の移動工程と、上記第２の駆動手段が、上記マイクロ電磁波発生部を上記支持台の長手方向に沿って移動させる第２の移動工程と、を有し、上記マイクロ電磁波発生部が予め設定された位置に到達するまで、上記温度データ取得工程、上記照射工程、上記第１の移動工程及び上記第２の移動工程が実行され、上記マグネトロンが、上記温度データ取得工程で取得された上記温度データの値が第１設定値を超えた場合にマイクロ電磁波の照射を中断し、上記温度データの値が第２設定値以下に下がった場合にマイクロ電磁波の照射を再開するように動作する、癌治療装置の作動方法を提供する。
【０００９】
上記癌治療装置の作動方法によれば、治療効果がより向上し、かつ液性癌に対しても充分な治療効果が得られる。すなわち、マイクロ電磁波発生部が治療対象をスキャンするように移動する工程（第１の移動工程及び第２の移動工程）を有することから、治療対象の腫瘍形成部のみならず腫瘍から離れた遠部に亘って広範囲にマイクロ電磁波を照射することが可能となるため、固形癌においても治療効果が一層向上するうえ、治療対象の全身にマイクロ電磁波を照射することにより、液性癌に対しても充分な治療効果が得られる。
【００１０】
また、本発明者らは、マイクロ電磁波の照射時間が、必要な時間に達していないにもかかわらず、治療対象が熱さに耐えられなくなる場合があることを見出した。このため、マイクロ電磁波の照射の中断及び再開を手動で繰り返す必要があり、煩雑な場合があった。これに対し、上記癌治療装置の作動方法によれば、温度データ取得工程で取得された温度データの値が第１設定値を超えた場合にマイクロ電磁波の照射を中断し、温度データの値が第２設定値以下に下がった場合にマイクロ電磁波の照射を再開するように動作することにより、癌治療装置を自動運転（自動化）させることができる。ここで、上記第１設定値は、例えば、治療対象が熱さに耐えられなくなる皮膚表面の温度に設定し、上記第２設定値は、マイクロ電磁波照射前の治療対象の皮膚表面の温度に設定する。
【００１１】
また、上記癌治療装置の作動方法によれば、上記第１の移動工程を備えることにより、相対向するマグネトロンの間に、容易に治療対象を設置することができる。また、治療対象を支持台に寝せた状態で載置することにより、治療対象が立った状態や座った状態等と比較して、より高精度にマイクロ電磁波発生部を位置決めすることが可能である。
【００１２】
また、上記癌治療装置の作動方法によれば、駆動手段にボールスクリューを採用したことにより、高精度でマイクロ電磁波発生部を位置決めすることが可能である。このため、予め設定した位置に高精度で再現性よくマイクロ電磁波発生部を移動させることが可能となり、癌治療装置の作動を自動化することができる。
【００１３】
上記マイクロ電磁波発生部は、上記マグネトロンと上記治療対象との間の距離データを取得可能な距離測定手段、及び上記マグネトロンを上記筐体の内部の壁面に沿って移動させることのできる距離調整手段を更に有していてもよい。また、上記癌治療装置の作動方法は、上記距離測定手段が、上記マグネトロンと上記治療対象との間の距離データを取得する距離データ取得工程、及び、上記距離調整手段が、上記距離データに基づいて、上記マグネトロンと上記治療対象との間の距離が予め設定された距離になるよう上記マグネトロンを移動させる距離調整工程、を更に有し、上記マイクロ電磁波発生部が予め設定された位置に到達するまで、上記距離データ取得工程及び上記距離調整工程を更に行うものであってもよい。
【００１４】
距離調整手段が、距離測定手段が取得した距離データに基づいて、マグネトロンと治療対象との間の距離が予め設定された距離になるよう調整することにより、広範囲に亘ってマイクロ電磁波を照射する場合であっても、全範囲に亘って一定の強度で照射することが可能となり、格段に治療効果が向上する。
【００１５】
上記距離調整工程では、上記マグネトロンと上記治療対象の皮膚表面との間の距離が、２０〜３０ｃｍになるよう上記マグネトロンを移動させることが好ましい。
【００１６】
本発明者らは、驚くべきことに、マグネトロンと治療対象の皮膚表面との間の距離を２０〜３０ｃｍとしてマイクロ電磁波を照射することにより、極めて高い治療効果が得られることを見出した。したがって、マグネトロンと治療対象の皮膚表面との間の距離を２０〜３０ｃｍとすることにより、本発明の作動方法による治療効果がより一層向上する。また、このような距離にすることにより、治療対象と癌治療装置との間に適度な空間があるため、恐怖心を抑える効果もある。
【００１７】
上記マイクロ電磁波の周波数は、２．００〜３．００ＧＨｚであることが好ましい。周波数がこの範囲内にあると、上述のようにマグネトロンと治療対象の皮膚表面との間の距離を２０〜３０ｃｍとした場合の治療効果がより一層顕著に向上する。また、適度な出力であるため、電気代等のランニングコストの低減も見込める。
【００１８】
また、上記癌治療装置の作動方法においては、上記癌治療装置が、上記マイクロ電磁波発生部を上記支持台の長手方向に略垂直な平面内で回転させることのできる回転手段を更に備えており、上記回転手段が、上記マイクロ電磁波発生部を上記支持台の長手方向に略垂直な平面内で所定の角度回転させる回転工程を更に有することが好ましい。
【００１９】
このような回転工程を備えることにより、異なる角度からマイクロ電磁波を照射することが可能となるため、より広範囲に亘って治療対象にマイクロ電磁波を照射することができ、より高い治療効果を得ることができる。
【００２０】
上記温度測定手段は、放射温度計であってもよい。温度測定手段が放射温度計であれば、治療対象の皮膚表面の温度データを非接触でリアルタイムに十分な精度で簡便に取得することができる。
【００２１】
上記距離測定手段は、レーザー測長器であってもよい。距離測定手段がレーザー測長器であれば、治療対象とマグネトロンとの間の距離データを充分な精度で簡便に取得することができる。
【００２２】
上記癌治療装置の作動方法によれば、これまで抗癌剤等の投与によらなければ治療効果が得られなかった液性癌に対しても充分な治療効果を得ることができる。また、抗癌剤等を併用する必要もなく、副作用の心配もほとんどない。したがって、上記癌治療装置の作動方法は、液性癌の治療用途に適したものであるといえる。
【発明の効果】
【００２３】
本発明によれば、治療効果がより向上し、かつ液性癌に対しても充分な治療効果が得られ、自動運転することが可能な、マイクロ電磁波を照射することにより癌を治療するための癌治療装置の作動方法が提供される。
【００２４】
本発明の癌治療装置の作動方法によれば、抗癌剤等を併用することによる副作用の懸念がないうえ、従来の技術と比較して、治療対象の肉体的及び精神的負担が少なく、かつ高い治療効果が得られる。また、ステントや金属歯を埋め込んだままでも治療が可能であり利便性が高い。
【図面の簡単な説明】
【００２５】
【図１】癌治療装置の一実施形態を示す模式正面図である。
【図２】癌治療装置の一実施形態を示す模式側面図である。
【図３】癌治療装置の一実施形態を示す斜視図である。
【図４】駆動手段の一例を示す模式図である。
【図５】マイクロ電磁波発生部の一実施形態を示す模式図である。
【図６】マイクロ電磁波発生部の一実施形態を示す模式図である。
【図７】実施例１におけるＣｏｍｐｕｔｅｄ  Ｔｏｍｏｇｒａｐｈｙ（ＣＴ）画像を示す写真である。
【図８】実施例２におけるＣＴ画像を示す写真である。
【図９】実施例３における血液検査の結果の推移を示すグラフである。
【図１０】実施例４におけるＣＴ画像を示す写真である。
【図１１】実施例５におけるＭａｇｎｅｔｉｃ  Ｒｅｓｏｎａｎｃｅ  Ｉｍａｇｉｎｇ（ＭＲＩ）画像を示す写真である。
【図１２】実施例６におけるＭＲＩ画像を示す写真である。
【発明を実施するための形態】
【００２６】
以下、図面を参照しながら、好適な実施形態を説明する。なお、図面の説明において同一要素には同一符号を付し、重複する説明を省略する。また、図面は理解を容易にするため一部を誇張して描いており、寸法比率は説明のものとは必ずしも一致しない。
【００２７】
〔癌治療装置〕
本発明の癌治療装置の作動方法に用いられる癌治療装置は、少なくとも一対の相対向するマグネトロン、マグネトロンをその内部に有する筒状の筐体及び治療対象の皮膚表面の温度データを取得可能な温度測定手段を有するマイクロ電磁波発生部と、
治療対象を載置可能な支持台と、
当該支持台を支持台の短手方向に移動させることのできる、ボールスクリューから構成される第１の駆動手段と、
マイクロ電磁波発生部を支持台の長手方向に沿って略平行に移動させることのできる、ボールスクリューから構成される第２の駆動手段と、を備える。
【００２８】
癌治療装置は、上記マグネトロンと上記治療対象との間の距離データを取得可能な距離測定手段、及び上記マグネトロンを上記筐体の内部の壁面に沿って移動させることのできる距離調整手段を更に備えていてもよい。
【００２９】
図１は、癌治療装置の一実施形態を示す模式正面図である。図２は、癌治療装置の一実施形態を示す模式側面図である。図３は、癌治療装置の一実施形態を示す斜視図である。図４は、駆動手段の一例を示す模式図である。図５は、マイクロ電磁波発生部の一実施形態を示す模式図である。図６は、マイクロ電磁波発生部の他の実施形態を示す模式図である。
【００３０】
癌治療装置１００は、一対の相対向するマグネトロン６５（マグネトロンヘッド６１及びマグネトロン本体６０からなる）、マグネトロン６５をその内部に有する筒状の筐体１０、治療対象５の皮膚表面の温度データを取得可能な温度測定手段７５、マグネトロン６５と治療対象５との間の距離データを取得可能な距離測定手段７０、及びマグネトロン６５を筐体１０の内部の壁面に沿って移動させることのできる距離調整手段８０を有するマイクロ電磁波発生部を有する。マイクロ電磁波発生部は、一対のマグネトロン６５が相対向して配置されるようにホルダー９０に取り付けられている。
【００３１】
癌治療装置１００は、更に治療対象５を載置可能な支持台２０と、支持台２０を当該支持台２０の短手方向に移動させることのできる、ボールスクリューから構成される第１の駆動手段と、支持台２０の長手方向に略平行に配置され、マイクロ電磁波発生部が取り付けられたホルダー９０を支持台２０の長手方向に略平行に移動させることのできる、ボールスクリューから構成される第２の駆動手段とを備える。上記第１の駆動手段を備えることにより、治療対象５を支持台２０に載置した状態で、支持台２０を当該支持台２０の短手方向（図２中、軌道Ｂで表す方向）に移動させることが可能となる。
【００３２】
＜駆動手段＞
癌治療装置１００における第２の駆動手段は、ガイドバー３０、ボールスクリュー４０、モーター５０及びホルダー９０に取り付けられた移動部３５を含む。ガイドバー３０と平行にボールスクリュー４０が配置されており、ボールスクリュー４０はモーター５０に接続されている。モーター５０が回転することにより、移動部３５が、ガイドバー３０及びボールスクリュー４０に沿って移動することができる。これに伴い、ホルダー９０及びこれに取り付けられたマイクロ電磁波発生部が、支持台２０の長手方向に略平行に移動する。モーター５０の回転数を制御することにより、移動距離を制御することができる。
【００３３】
モーター５０の回転運動はボールスクリュー４０により直線運動に変換され、移動部３５が移動する。モーター５０は、正確な位置決め制御を実現できることからパルスモーターであることが好ましい。パルスモーターとボールスクリューを組み合わせることにより、移動部３５を高精度に再現性よく位置決めすることができる。
【００３４】
癌治療装置１００における第１の駆動手段は、上記第２の駆動手段と同様の構成を備えており、ガイドバー、ボールスクリュー、モーターを含む。モーターはパルスモーターであることが好ましい。モーターが回転することにより、支持台２０が、ガイドバー及びボールスクリューに沿って移動することができる。これに伴い、支持台２０が当該支持台２０の短手方向に移動する。モーターの回転数を制御することにより、支持台２０の移動距離を制御することができる。
【００３５】
なお、癌治療装置は、駆動手段を支持台に取り付け、支持台を当該支持台の長手方向に移動させるものであってもよく、支持台とホルダーの双方を移動させるものであってもよい。治療対象が動くことによる治療効果の低減を回避する観点、及び設置スペースが小さくて済むとの観点から、ホルダー９０を移動させるものである本実施形態の癌治療装置１００が好ましい。
【００３６】
＜マイクロ電磁波発生部＞
マイクロ電磁波発生部は、筒状の筐体の内部に収容されたマグネトロンを少なくとも一対有しており、当該一対のマグネトロンが相対向するように配置されている。治療対象はこの相対向する一対のマグネトロンの間に配置される。マイクロ電磁波発生部は、温度測定手段も有する。マイクロ電磁波発生部は、更に距離測定手段及び距離調整手段を備えていてもよい。
【００３７】
マグネトロンは二対以上配置されていてもよい。この場合、対となるマグネトロンは相対向するように配置される。
【００３８】
図５は、マイクロ電磁波発生部の一実施形態を示す模式図である。マイクロ電磁波発生部２００は、筒状の筐体１０、マグネトロン６５、温度測定手段（図示せず）、距離測定手段（図示せず）及び距離調整手段８０を有する。マグネトロン６５は、距離調整手段８０により、マイクロ電磁波の照射軸に沿って移動することができる。
【００３９】
図６は、マイクロ電磁波発生部の他の実施形態を示す模式図である。マイクロ電磁波発生部２１０は、筒状の筐体（図示せず）、マグネトロン６５、温度測定手段７５、距離測定手段７０及び距離調整手段８０を有する。マグネトロン６５は、距離調整手段８０により、マイクロ電磁波の照射軸に沿って移動することができる。この例では、モーターのシャフトとマグネトロン６５とがワイヤーで連結されている。これにより、モーターが回転してワイヤーを巻き取ると、マグネトロン６５をモーター側に移動させることができる。逆にモーターが回転してワイヤーを伸ばすことにより、マグネトロン６５をモーターから離れた方向に移動させることができる。
【００４０】
（マグネトロン）
マグネトロン６５は、マグネトロン本体６０とマグネトロンヘッド６１を有し、マグネトロン本体部６０内に存在するマイクロ電磁波発振部６２で生成させたマイクロ電磁波をマグネトロンヘッド６１から発射する。マイクロ電磁波の周波数は１．００〜５．００ＧＨｚであることが好ましく、２．００〜３．００ＧＨｚであることがより好ましく、２．４５ＧＨｚであることが更に好ましい。マイクロ電磁波の電磁エネルギーは約５００〜１０００Ｗが好適である。
【００４１】
特許文献１のマイクロ電磁波発生器は、マグネトロンから発生するマイクロ電磁波が、マグネトロンと一体に構成された可変開口部を有する電磁波ホーンから発射される構成となっており、より電磁エネルギーの強い電磁波を発射することができるようにされている。一方、本実施形態のマイクロ電磁波発生部は、筒状の筐体１０にマグネトロン６５が収容されており、マイクロ電磁波はマグネトロンヘッド６１から発射され、筐体１０の開口部から発射される構成となっている。意外なことに、本実施形態のマイクロ電磁波発生部は、このような構成を採用することにより、より高い治療効果を実現することができる。この理由は必ずしも明らかではないが、筐体１０が筒状であるため、マイクロ電磁波の拡散を抑制することができ、治療対象により強い電磁エネルギーのマイクロ電磁波を照射できるためではないかと、本発明者らは推察している。
【００４２】
（温度測定手段）
温度測定手段７５としては、特に制限されないが、治療対象の皮膚表面の温度データを非接触でリアルタイムに十分な精度で測定できるものが好ましい。このような温度測定手段としては、例えば、放射温度計が例示できる。放射温度計としては、例えば赤外放射温度計が例示できる。
【００４３】
（距離測定手段）
距離測定手段７０としては、特に制限されないが、例えば、超音波、レーザー、赤外線等を発射し、その反射波を受信するまでの時間から距離を測定するもの、カメラ及び画像処理を利用するもの等が使用可能であり、例えば、レーザー測長器であってよい。
【００４４】
（距離調整手段）
距離調整手段８０としては、特に制限されないが、例えば、油圧ジャッキ、モーター、ボールスクリューとモーターとの組み合わせ等が挙げられる。距離調整手段８０は、例えば、上述した第１の駆動手段及び第２の駆動手段と同様に、ガイドバー、ボールスクリュー及びパルスモーターを含むものであってもよい。
【００４５】
＜回転手段＞
本実施形態の癌治療装置１００は回転板３２を有している。図２及び３に示すように、回転板３２が回転すると、中心点Ｃを中心とする円状の軌道Ａに沿ってホルダー９０が回転する。これにより、相対向するマグネトロン６５を、支持台２０の長手方向に略垂直な平面内で回転させることができる。
【００４６】
癌治療装置１００には、本発明を逸脱しない範囲で各種改変を加えることができる。例えば、癌治療装置１００は、マグネトロン６５のステータスを表示する表示装置を備えていてもよい（図示せず）。表示装置には、「マイクロ電磁波照射中」、「運転停止中」、「緊急停止」等の情報を文字、色、模様等で表示する装置を用いることができる。また、治療対象５が自らマイクロ電磁波の照射を緊急停止するための停止装置を備えていてもよい。
【００４７】
〔癌治療装置の作動方法〕
本発明の癌治療装置の作動方法は、温度測定手段が治療対象の皮膚表面の温度データを取得する温度データ取得工程と、マグネトロンがマイクロ電磁波を照射する照射工程と、第１の駆動手段が、支持台を短手方向に移動させる第１の移動工程と、第２の駆動手段が、マイクロ電磁波発生部を支持台の長手方向に沿って移動させる第２の移動工程と、を有し、マイクロ電磁波発生部が予め設定された位置に到達するまで、温度データ取得工程、照射工程、前記第１の移動工程及び第２の移動工程が実行され、マグネトロンが、温度データ取得工程で取得された温度データの値が第１設定値を超えた場合にマイクロ電磁波の照射を中断し、温度データの値が第２設定値以下に下がった場合にマイクロ電磁波の照射を再開するように動作するものである。
【００４８】
癌治療装置の作動方法は、距離測定手段が、マグネトロンと治療対象との間の距離データを取得する距離データ取得工程、及び、距離調整手段が、距離データに基づいて、マグネトロンと治療対象との間の距離が予め設定された距離になるようマグネトロンを移動させる距離調整工程を更に備えていてもよい。
【００４９】
（固形癌の場合）
例えば、治療対象が腹部に腫瘍（固形癌）を有する場合、マイクロ電磁波発生部がマイクロ電磁波の照射を開始する始点を治療対象の胸部に設定し、上記「予め設定された位置」を下腹部に設定する。このようにして設定された照射対象領域を例えば９分割し、これらの領域に順次マイクロ電磁波を照射する。
【００５０】
より具体的には、まず、第１の移動工程及び第２の移動工程により、マイクロ電磁波発生部を、上記９分割された領域の１つにマイクロ電磁波を照射可能な位置に移動させる。続いて、マイクロ電磁波発生部がマイクロ電磁波を照射する。例えば、１つの領域について、マイクロ電磁波の照射を１回当たり１〜１０秒間、より好ましくは３〜５秒間、特に好ましくは５秒間行い、これを３回繰り返す。照射と照射の間の間隔は例えば３秒間である。このようにして、上記９分割された領域の１つへのマイクロ電磁波の照射が終わると、再び第１の移動工程及び第２の移動工程により、マイクロ電磁波発生部を上記９分割された領域のうち、未照射の領域の１つに移動させる。続いて、上記と同様に、マイクロ電磁波発生部がマイクロ電磁波を照射する。以上の工程を９分割された領域の全てについて行う。
【００５１】
この間、温度データ取得工程により、治療対象の皮膚表面の温度データをリアルタイムでモニターし、取得された温度データの値が第１設定値を超えた場合には、マイクロ電磁波の照射を中断し、温度データの値が第２設定値以下に下がった場合にマイクロ電磁波の照射を再開する。第１設定値は、３８〜３９℃であることが好ましく、特に３８．５℃であることが好ましい。治療対象の皮膚表面の温度がこの温度に達すると、治療対象が熱さに耐えられなくなる。そして、取得された温度データの値が第２設定値以下に下がった場合にマイクロ電磁波の照射を再開する。第２設定値は、マイクロ電磁波の照射を開始する直前の治療対象の皮膚表面の温度に設定することが好ましい。マイクロ電磁波の照射中に、治療対象の皮膚表面の温度データが第１設定値を超えたことにより、マイクロ電磁波の照射を中断後、再開する場合、例えば、照射予定であった残りの時間、マイクロ電磁波を照射するとよい。
【００５２】
以上の作動方法により、腫瘍形成部（腹部）のみならず腫瘍から離れた遠部（胸部〜下腹部）に亘って広範囲にマイクロ電磁波を照射することが可能となる。これにより、従来達成し得なかった治療効果を得ることができる。
【００５３】
また、上記作動方法において、距離測定手段が、マグネトロンと治療対象との間の距離データを取得する距離データ取得工程、及び、距離調整手段が、距離データに基づいて、マグネトロンと前記治療対象との間の距離が予め設定された距離になるようマグネトロンを移動させる距離調整工程、が行われてもよい。
【００５４】
（液性癌の場合）
治療対象が液性癌を有する場合、上記始点を頭頂部に設定し、上記「予め設定された位置」を足の指先に設定する。これにより、マイクロ電磁波を全身に照射することが可能となり、抗癌剤等の併用がなくても液性癌に対して高い治療効果を得ることができるという、従来の技術では考えられなかった効果を奏する。
【００５５】
このようにして設定された照射対象領域全体に順次マイクロ電磁波を照射する。より具体的には、まず、第１の移動工程及び第２の移動工程により、マイクロ電磁波発生部を、上記始点に移動させる。続いて、マイクロ電磁波発生部がマイクロ電磁波を照射する。この場合、マイクロ電磁波発生部はマイクロ電磁波を照射し続け、この間に第１の移動工程及び第２の移動工程が連続的に治療対象の照射対象部位を移動させてもよい。また、第１の移動工程及び第２の移動工程に、後述する回転工程を更に組み合わせてもよい。マイクロ電磁波を治療対象の全身に照射するのに要する時間は、約５分間である。
【００５６】
上記工程を実行している間、温度データ取得工程により、治療対象の皮膚表面の温度データをリアルタイムでモニターする。そして、取得された温度データの値が第１設定値を超えた場合には、マイクロ電磁波の照射、第１の移動工程及び第２の移動工程を中断する。ここで、回転工程を行っている場合には、回転工程も中断する。そして、温度データの値が第２設定値以下に下がった場合にマイクロ電磁波の照射、第１の移動工程及び第２の移動工程を再開する。ここで、回転工程を行っている場合には、回転工程も再開する。第１設定値及び第２設定値は、上述した固形癌の場合と同様である。
【００５７】
以下、各工程を説明する。
【００５８】
（温度データ取得工程）
温度データ取得工程では、温度測定手段７５が、治療対象５の皮膚表面の温度データを取得する。上記したように、一実施形態において、温度測定手段７５は放射温度計である。
【００５９】
（距離データ取得工程）
距離データ取得工程では、距離測定手段７０が、マグネトロン６５又はマグネトロンヘッド６１と治療対象５との間の距離データを取得する。上記したように、一実施形態において、距離測定手段７０はレーザー測長器である。レーザー測長器は、レーザー発射器とレーザー受信器とを有する。レーザー測長器は、レーザー発射器からレーザーを発射する。続いて、レーザー受信器がレーザーを受信する。この結果に基づいて、マグネトロン６５又はマグネトロンヘッド６１と治療対象５との間の距離データが取得される。
【００６０】
（距離調整工程）
距離調整工程では、距離調整手段８０が、距離データ取得工程で得られた距離データに基づいて、マグネトロン６５と治療対象５との間の距離が予め設定された距離になるようマグネトロンを移動させる。
【００６１】
マグネトロン６５と治療対象５との間の距離が離れすぎていると、マイクロ電磁波を照射した効果が得られにくい傾向にある。また、マグネトロン６５と治療対象５との間の距離が短すぎると、治療対象５が熱さに耐えられなくなる等の問題が生じる場合がある。マグネトロン６５と治療対象５との間の距離は、次の（１）〜（３）のいずれかであることが好ましい。これにより、治療効果が顕著に向上する。
（１）マグネトロンと、治療対象の患部（癌）との間の距離が２０〜３０ｃｍ
（２）マグネトロンと治療対象の皮膚表面との間の距離が２０〜３０ｃｍ
（３）一対の相対向するマグネトロン間の距離が４０〜６０ｃｍ
【００６２】
上記（１）のマグネトロンと治療対象の患部（癌）との間の距離は、より正確には、マグネトロンのマイクロ電磁波発振部と治療対象の患部（癌）との間の距離である。マグネトロンヘッドと治療対象の患部（癌）との間の距離としては、１０〜２５ｃｍとなる。この場合、治療対象の皮膚表面から患部（癌）までの距離は、予めＣＴ画像やＭＲＩ画像に基づいて求めておき、マグネトロンヘッドと治療対象の患部（癌）との間の距離が１０〜２５ｃｍとなるように調整する。
【００６３】
上記（２）のマグネトロンと治療対象の皮膚表面との間の距離は、より正確には、マグネトロンのマイクロ電磁波発振部と治療対象の皮膚表面との間の距離である。マグネトロンヘッドと治療対象の皮膚表面との間の距離としては、１０〜２５ｃｍとなる。
【００６４】
上記（３）の一対の相対向するマグネトロン間の距離とは、より正確には、一対の相対向するマグネトロンのマイクロ電磁波発振部間の距離である。一対の相対向するマグネトロンヘッド間の距離としては、２０〜５０ｃｍとなる。
【００６５】
マグネトロンと治療対象との間の距離を上記（１）又は（２）に設定する場合、距離データ取得工程で得られた距離データに基づいて、距離調整工程によりマグネトロンと治療対象との間の距離が調整される。また、マグネトロンと治療対象との間の距離を上記（３）に設定する場合、マグネトロンは、筒状の筐体の所定の位置に固定された状態に保たれる。
【００６６】
上記（１）〜（３）のうち、最も治療効果が期待できるのは（１）の場合である。しかしながら、上記（１）の場合、患部（癌）から離れた遠部において、マグネトロンと治療対象との間の距離をどのように設定すべきかの判断が困難な場合がある。また、予め治療対象の体内のどの位置に患部（癌）が存在するかがわかっている必要がある。このような場合には、マグネトロンと治療対象との間の距離を上記（２）に設定することが簡便であり、この場合においても、上記（１）には及ばないものの、ある程度の治療効果が期待できる。また、治療効果は上記（１）、（２）には及ばないものの、状況に応じて上記（３）に設定してもよい。
【００６７】
（照射工程）
照射工程では、マグネトロン６５がマイクロ電磁波を一定時間照射する。マイクロ電磁波発生部は、対をなすマグネトロン６５が相対向するように配置されているため、対をなすマグネトロンから照射されたマイクロ電磁波が互いに干渉し、より強い電磁エネルギーが得られる。
【００６８】
照射にあたり、ステントや金属歯が存在していてもよい。上記したように、マグネトロン６５が照射するマイクロ電磁波の周波数は例えば２．００〜３．００ＧＨｚである。マイクロ電磁波の照射時間は、マグネトロン６５と治療対象５との間の距離によっても変化する。より具体的には、マグネトロン６５と治療対象５との間の距離が上記した（１）〜（３）のいずれかである場合、１〜１０秒間であることが好ましく、３〜５秒間であることがより好ましい。照射時間が上位範囲内であれば、治療対象が「熱さ」を感じる頻度が少なく、高い治療効果を得ることができるうえ、熱ショックたんぱく質（ｈｅａｔ  ｓｈｏｃｋ  ｐｒｏｔｅｉｎ、ＨＳＰ）の発現が抑制され、短期間で繰り返し治療を行うことも可能となる。例えば、１日に２回治療を行ってもよい。
【００６９】
（移動工程）
第１の移動工程では、第１の駆動手段が、支持台２０を短手方向に移動させる。また、第２の移動工程では、第２の駆動手段が、マイクロ電磁波発生部を支持台２０の長手方向に沿って移動させる。
【００７０】
（回転工程）
一実施形態において、癌治療装置の作動方法は、回転工程を更に含んでもよい。回転工程では、上記回転手段（回転板３２）が、マイクロ電磁波発生部を支持台２０の長手方向に略垂直な平面内で所定の角度回転させる。これにより、治療対象５に異なる角度からマイクロ電磁波を照射することが可能となり、更に治療効果を高めることができる。
【００７１】
本発明の癌治療装置の作動方法では、マイクロ電磁波発生部が予め設定された位置に到達するまで、温度データ取得工程、照射工程、第１の移動工程及び第２の移動工程、並びに場合により距離データ取得工程、距離調整工程及び回転工程を実行する。
【００７２】
温度データ取得工程は、癌治療装置の作動中継続的に実行してもよく、照射工程が実行されている間のみ（マイクロ電磁波の照射が中断されている間を含む）実行してもよい。また、照射工程、第１の移動工程及び第２の移動工程、並びに、存在する場合、距離データ取得工程、距離調整工程及び回転工程は、本発明の効果が得られる限り、任意の順序で実行してもよい。
【００７３】
また、照射工程、温度データ取得工程、第１の移動工程及び第２の移動工程、並びに、存在する場合、距離データ取得工程、距離調整工程及び回転工程は、癌治療装置の作動中継続的に実行してもよい。
【００７４】
（自動運転）
癌治療装置は、各治療対象に応じた治療ルーチンをプログラムすることにより、自動運転により作動させることができる。
【００７５】
より具体的には、まず、治療対象を支持台に載置する。治療対象の位置を再現性よく確定するために、例えば足の裏を支持台の一端に合わせて起点とする。また、支持台の短手方向に対する治療対象の位置を確定するために、支持台の上面形状は凹状、Ｕ字状あるいはＶ字状に形成されていてもよい。このような形状であることにより、治療対象を支持台上に載置すると、自動的に支持台の短手方向に対する治療対象の位置が確定される。
【００７６】
続いて、第１の駆動手段及び第２の駆動手段、並びに、場合により回転手段を手動で駆動させることにより、マイクロ電磁波発生部をマイクロ電磁波の照射位置まで移動させる。続いて、距離調整手段を手動で駆動させることにより、マグネトロンと治療対象の皮膚表面との間の距離を調整する。マイクロ電磁波発生部の位置が確定したら、癌治療装置にその位置情報を記憶させる。以上の操作をマイクロ電磁波の全照射ポイントについて繰り返すことにより、その治療対象特有の治療ルーチンをプログラムすることができる。
【００７７】
一度プログラムが完成すると、癌治療装置を自動運転により作動させることができる。このような制御はプレイバック制御と呼ばれるものであり、マイクロ電磁波発生部の位置を実際にマイクロ電磁波の照射位置に移動させて記憶させることにより、自動的にプログラムを生成することができ簡便である。プレイバック制御を行うためには、第１の駆動手段、第２の駆動手段等により移動したマイクロ電磁波発生部の位置が、自動的に数値化される必要があるが、第１の駆動手段、第２の駆動手段等をボールスクリュー及びパルスモーターの組み合わせで実現することにより、このような数値化を容易に行うことができる。
【００７８】
また、治療対象の皮膚表面の温度データに基づいたマイクロ電磁波の照射の中断及び再開も自動化することができる。この場合、初回のみ、治療対象を脱衣させた状態で上記治療ルーチンのプログラムを実行する。そして、温度データ取得工程で取得された温度データの値が第１設定値を超えた場合にマイクロ電磁波の照射を中断し、温度データの値が第２設定値以下に下がった場合にマイクロ電磁波の照射を再開する。この時に、マイクロ電磁波の照射位置及び中断及び再開の時間情報を癌治療装置に記憶させ、上記プログラムに追加する。次回以降の治療においては、プログラムの実行時にマイクロ電磁波の中断及び再開パターンを自動的に再現させることができる。この場合、治療対象は着衣したまま治療を受けてもよい。
【００７９】
〔対象となる癌〕
癌治療装置の作動方法は、あらゆる癌を対象とすることができる。癌は、固形癌であってもよく、液性癌であってもよい。より具体的には、舌癌、歯肉癌、悪性黒色腫、上顎癌、鼻癌、鼻腔癌、喉頭癌、咽頭癌、肺癌、乳癌、食道癌、胃癌、膵癌、肝癌、胆嚢癌、十二指腸癌、大腸癌、肝芽腫、子宮肉腫、子宮癌、卵巣癌、腎癌、膀胱癌、前立腺癌、横紋筋肉腫、線維肉腫、骨肉腫、軟骨肉腫、滑液膜肉腫、粘液肉腫、脂肪肉腫、ユーイング肉腫、皮膚癌、脳腫瘍、神経芽細胞腫、神経膠腫、髄膜腫、神経膠腫、白血病、悪性リンパ腫、多発性骨髄腫、原発性マクログロブリン血症等が挙げられる。
【実施例】
【００８０】
以下、実施例を挙げて本発明をより詳細に説明する。
【００８１】
〔マイクロ電磁波による治療〕
図１に示した癌治療装置（ただし、回転板３２は有しない装置）を用い、マイクロ電磁波の１回の照射時間を３秒間（インターバル２秒間）とし、マイクロ電磁波の周波数を２．４５ＧＨｚに設定した。照射範囲は、各実施例に記載したとおりである。
【００８２】
〔実施例１〕
（子宮肉腫）
抗癌剤治療を行わなければ、余命半年〜２年と宣言された子宮肉腫の患者（５６歳、女性）にマイクロ電磁波による治療を行った。照射範囲は、上腹部〜下腹部までとした。マグネトロンと治療対象の皮膚表面との間の距離（マグネトロンのマイクロ電磁波発振部と治療対象の皮膚表面との間の距離）を３０ｃｍに設定した。２００７年１月〜２００８年１月にかけて７２回のマイクロ電磁波の照射を行った結果、癌が消失した。また、骨盤底部の腹水もほぼ消失した。結果を図７に示す。図７（Ａ）は、この患者の２００７年７月１９日のＣＴ画像を示す写真である。図中の四角は、大動脈周辺の肥大したリンパ腺を示す。また、図７（Ｂ）はこの患者の２００８年７月１１日のＣＴ画像を示す写真である。図中の四角は、図７（Ａ）における四角及び矢印に対応する領域を示す。２００７年７月１９日のＣＴ画像では、大動脈周辺、大動脈分岐部の近傍、右腸骨動脈周囲に膨大したリンパ腺が存在したが、２００８年７月１１日のＣＴ画像では、全てのリンパ腺の腫脹は縮小した。２０１２年３月現在、この患者に全く異常は認められない。
【００８３】
〔実施例２〕
（肺癌）
肺に４ヶ所の腫瘍（最大１３ｍｍ）が発見された患者（６３歳、男性）にマイクロ電磁波による治療を行った。照射範囲は、胸部全体とした。マグネトロンと治療対象の皮膚表面との間の距離（マグネトロンのマイクロ電磁波発振部と治療対象の皮膚表面との間の距離）を３０ｃｍに設定した。患者は咳で苦しんでいたが、マイクロ電磁波を照射した結果、咳は直ちに消失した。２０１０年６月〜８月に１８回のマイクロ電磁波の照射を行った結果、腫瘍は全て消失した。結果を図７に示す。図８（Ａ）は、この患者の２０１０年４月１３日のＣＴ画像を示す写真である。図中の四角内に腫瘍が認められた。また、図８（Ｂ）はこの患者の２０１０年７月２０日のＣＴ画像を示す写真である。図中の四角は、図８（Ａ）における四角に対応する領域を示す。腫瘍が消失したことが確認された。２０１２年２月現在、この患者に異常は認められない。
【００８４】
〔実施例３〕
（悪性リンパ腫）
急性リンパ性白血病が強く疑われる患者（６０歳、男性）にマイクロ電磁波の全身照射による治療を行った。全身照射は約５分間で行った。マグネトロンと治療対象の皮膚表面との間の距離（マグネトロンのマイクロ電磁波発振部と治療対象の皮膚表面との間の距離）を３０ｃｍに設定した。４日間治療を行った結果、白血病の細胞が消失し、診断が悪性濾胞性リンパ腫に変更された。体の数カ所のリンパ腺が腫脹していたが、その後のマイクロ電磁波の照射により、右の頸部リンパ腺が少し腫脹している以外はほとんど縮小した。治療開始から約２ヶ月後には血液検査の結果も全て正常値になった。副作用は全くなく、体調は改善し、仕事に復帰した。結果を図９に示す。図９（Ａ）は赤血球数（×１０４個／ｍｍ３）、病的細胞の割合（％）、リンパ球の割合（％）の推移を示すグラフである。横軸は検査日を示す。星印は、マイクロ電磁波（ＭＷ）照射を行った日であることを示す。図９（Ｂ）は、白血球数（個／ｍｍ３）の推移を示すグラフである。横軸は検査日を示す。星印は、マイクロ電磁波（ＭＷ）照射を行った日であることを示す。図９（Ｃ）は、アセチルコリン及びテロメアの検査結果の推移を示すグラフである。横軸は検査日を示す。星印は、マイクロ電磁波（ＭＷ）照射を行った日であることを示す。
【００８５】
〔実施例４〕
（肺癌）
進行の早い肺癌患者（５８歳、女性）にマイクロ電磁波による治療を行った。照射範囲は、胸部全体とした。マグネトロンと治療対象の皮膚表面との間の距離（マグネトロンのマイクロ電磁波発振部と治療対象の皮膚表面との間の距離）を３０ｃｍに設定した。２００４年１月２３日〜３０日に５回のマイクロ電磁波の照射を行った結果、腫瘍は消失した。結果を図１０に示す。図１０（Ａ）は、この患者の２００４年１月１７日のＣＴ画像を示す写真である。図中の四角内に２〜３ｃｍの腫瘍が認められた。図１０（Ｂ）は、この患者の２００４年１１月１５日のＣＴ画像を示す写真である。図中の四角は、図１０（Ａ）における四角に対応する領域を示す。腫瘍が消失したことが確認された。２００７年８月まで再発予防の目的で度々マイクロ電磁波を照射したが、その後は異常が認められないため、マイクロ電磁波の照射は行っていない。２００９年８月現在、この患者に全く異常は認められず、その後は経過観察のみとなった。
【００８６】
〔実施例５〕
（上咽頭癌及び脳転移）
上咽頭癌が頸部リンパ節へ転移したため、２００２年３月に同部を摘出し、抗癌剤及び放射線治療を受けた患者（４９歳、男性）にマイクロ電磁波による治療を行った。照射範囲は、頭部〜前胸部までとした。マグネトロンと治療対象の皮膚表面との間の距離（マグネトロンのマイクロ電磁波発振部と治療対象の皮膚表面との間の距離）を３０ｃｍに設定した。２００２年５月に４日間連続でマイクロ電磁波を照射した。その後良好に推移していたが、２００５年１月１９日に左側頭葉、頭頂葉、横側頭回への転移を指摘された。そこで、２００５年１月２０日より１日２回ずつ３日間マイクロ電磁波を照射した。その後、２００５年１１月及び１２月に計１４回マイクロ電磁波を照射した。２００６年１月２７日のＭＲＩ画像では腫瘍が認められなかった。結果を図１１に示す。図１１（Ａ）は、この患者の２００５年１月１９日のＭＲＩ画像を示す写真である。図中の四角内に腫瘍が認められた。図１１（Ｂ）は、この患者の２００８年１２月１６日のＭＲＩ画像を示す写真である。図中の四角は、図１１（Ａ）における四角に対応する領域を示す。腫瘍が消失したことが確認された。
【００８７】
〔実施例６〕
（脳腫瘍）
小脳（延髄）腫瘍の患者（３９歳、女性）にマイクロ電磁波による治療を行った。照射範囲は、後頭部〜上前胸部までとした。マグネトロンと治療対象の皮膚表面との間の距離（マグネトロンのマイクロ電磁波発振部と治療対象の皮膚表面との間の距離）を３０ｃｍに設定した。患者は、右上半身の痺れを訴えていたが、２００７年７月〜２００８年６月までに４０回マイクロ電磁波を照射した結果、痺れをほとんど感じなくなった。結果を図１２に示す。図１２（Ａ）はこの患者の２００７年５月２８日のＭＲＩ画像を示す写真である。図中の四角及び矢印は、腫瘍が延髄下部を圧迫している様子を示す。また、図１２（Ｂ）はこの患者の２０１０年２月２５日のＭＲＩ画像を示す写真である。図中の四角及び矢印は、図１２（Ａ）における四角及び矢印に対応する領域を示す。腫瘍が縮小したことが確認された。患者は、２０１２年５月も元気である。
【００８８】
〔実施例７〕
（マグネトロンと治療対象との距離の検討）
肺癌患者にマイクロ電磁波による治療を行った。照射範囲は、胸部全体とした。最初の２ヶ月は、マグネトロンと治療対象の皮膚表面との間の距離（マグネトロンのマイクロ電磁波発振部と治療対象の皮膚表面との間の距離）を３０ｃｍに設定し、週１回ずつ１ヶ月間マイクロ電磁波を照射した。その結果、腫瘍マーカーであるＣＥＡは、治療前の７．９ｎｇ／ｍｌから５．９ｎｇ／ｍｌに改善した。その後、マグネトロンと治療対象の皮膚表面との間の距離（マグネトロンのマイクロ電磁波発振部と治療対象の皮膚表面との間の距離）を５０ｃｍに設定し、１週間に１回ずつ１ヶ月間マイクロ電磁波を照射した。その結果、ＣＥＡは、６．９ｎｇ／ｍｌに上昇した。続いて、マグネトロンと治療対象の皮膚表面との間の距離（マグネトロンのマイクロ電磁波発振部と治療対象の皮膚表面との間の距離）を３０ｃｍに設定し、週１回ずつ１ヶ月間マイクロ電磁波を照射した。その結果、ＣＥＡは６．０ｎｇ／ｍｌに改善した。以上の結果から、マグネトロンと治療対象の皮膚表面との間の距離（マグネトロンのマイクロ電磁波発振部と治療対象の皮膚表面との間の距離が３０ｃｍ以下であると治療効果が高いと考えられた。
【００８９】
〔実験例１〕
（マグネトロンと治療対象の皮膚表面との間の距離及びマイクロ電磁波の照射時間の検討）
マグネトロンヘッドと治療対象の皮膚表面との間の距離を２５ｃｍ（マグネトロンのマイクロ電磁波発振部と治療対象の皮膚表面との間の距離としては３０ｃｍ）に設定し、マイクロ電磁波を５秒間照射した結果、治療対象は熱さを訴えなかった。次に、マグネトロンヘッドと治療対象の皮膚表面との距離を２ｃｍ（マグネトロンのマイクロ電磁波発振部と治療対象の皮膚表面との間の距離としては７ｃｍ）に調整し、マイクロ電磁波を２〜３秒間照射した結果、治療対象は熱さに耐えられなかった。また、マグネトロンヘッドと治療対象の皮膚表面との間の距離を２５ｃｍ（マグネトロンのマイクロ電磁波発振部と治療対象の皮膚表面との間の距離としては３０ｃｍ）に設定し、マイクロ電磁波を１０秒間照射した結果、治療対象は熱さに耐えられなかった。以上の結果から、マグネトロンのマイクロ電磁波発振部と治療対象の皮膚表面との間の距離を３０ｃｍとし、マイクロ電磁波の照射時間が１〜１０秒間、より好ましくは３〜５秒間であると治療効果が高いと考えられた。
【００９０】
〔実験例２〕
（マイクロ電磁波の照射と治療対象の皮膚表面の温度の検討）
マイクロ電磁波を照射した場合に、治療対象が熱さに耐えられなくなる皮膚表面の温度を検討した。温度の測定には赤外放射温度計を使用した。その結果、治療対象が熱さに耐えられなくなる温度は、治療対象によらずほぼ一定であり、皮膚表面の温度が３８．５℃を超えると熱さに耐えられなくなることが明らかとなった。
【符号の説明】
【００９１】
５・・・治療対象、１０・・・筐体、２０・・・支持台、３０・・・ガイドバー、３２・・・回転板、３５・・・移動部、４０・・・ボールスクリュー、５０・・・モーター、６０・・・マグネトロン本体部、６１・・・マグネトロンヘッド、６２・・・マイクロ電磁波発振部、６５・・・マグネトロン、７０・・・距離測定手段、７５・・・温度測定手段、８０・・・距離調整手段、９０・・・ホルダー、１００・・・癌治療装置、２００，２１０・・・マイクロ電磁波発生部、Ａ，Ｂ・・・軌道、Ｃ・・・中心点。
【図１】
2014061229.tif 000003
【図２】
2014061229.tif 000004
【図３】
2014061229.tif 000005
【図４】
2014061229.tif 000006
【図５】
2014061229.tif 000007
【図６】
2014061229.tif 000008
【図９】
2014061229.tif 000009
【図７】
2014061229.tif 000010
【図８】
2014061229.tif 000011
【図１０】
2014061229.tif 000012
【図１１】
2014061229.tif 000013
【図１２】
2014061229.tif 000014